【手続補正書】
【提出日】平成21年8月7日(2009.8.7)
【手続補正１】
【補正対象書類名】特許請求の範囲
【補正対象項目名】全文
【補正方法】変更
【補正の内容】
【特許請求の範囲】
【請求項１】
延伸可能なウェブを横断方向に配向させるための方法であって、
第１の速度でダウンウェブ方向に移動する延伸可能なウェブを供給する工程であって、そこでは前記延伸可能なウェブは、幅と第１の方向に実質的に連続した長さを有する、および、
少なくとも２つのニップを前記ウェブの横断方向にオフセットさせる工程であって、そこでは少なくとも１つの先導ニップは後続ニップよりも速い速度で移動し、クロスウェブ配向の程度は前記先導ニップの速度と前記後続ニップの速度の比に比例し、クロスウェブ配向領域を形成する、
を含む、方法。
【請求項２】
前記先導ニップの速度の後続ニップの速度に対する比は、少なくとも１．２である、請求項１に記載の方法。
【請求項３】
延伸可能なウェブを横断方向に配向させるための装置であって、
第１の速度でダウンウェブ方向に移動する延伸可能なウェブのウェブ経路を提供するための供給手段であって、そこでは前記延伸可能なウェブは、幅と第１の方向に実質的に連続した長さを有する、および
前記ウェブ経路の横断方向にオフセットした少なくとも２つのニップであって、そこでは少なくとも１つの先導ニップは後続ニップよりも速い速度で移動し、クロスウェブ配向の程度は前記先導ニップの速度の前記後続ニップの速度に対する比に比例し、クロスウェブ配向領域を形成する、
を含む、装置。
【請求項４】
長さ方向と横断方向を有して領域が配向された実質的に連続するウェブであって、前記ウェブは、少なくとも１つの配向領域および横断方向に並んで隣接する領域を有し、前記少なくとも１つの配向領域は、分子配向方向が横断方向に対して少なくとも５度の角度をなす非弾性的ウェブ材料を含み、前記隣接する領域は分子配向の異なる角度および／または方向を有する、ウェブ。
【請求項５】
前記非弾性的ウェブ材料の分子配向方向は、前記横断方向に対して５〜８０度である、請求項４に記載の領域が配向された実質的に連続するウェブ。
【手続補正２】
【補正対象書類名】明細書
【補正対象項目名】００５０
【補正方法】変更
【補正の内容】
【００５０】
本出願では、以下の態様が提供される。
１．  延伸可能なウェブを横断方向に配向させるための方法であって、第１の速度でダウンウェブ方向に移動する延伸可能なウェブを供給する工程であって、そこでは前記延伸可能なウェブは、幅と第１の方向に実質的に連続した長さを有する、および、少なくとも２つのニップを前記ウェブの横断方向にオフセットさせる工程であって、そこでは少なくとも１つの先導ニップは後続ニップよりも速い速度で移動し、クロスウェブ配向の程度は前記先導ニップの速度と前記後続ニップの速度の比に比例し、クロスウェブ配向領域を形成する、を含む、方法。
２．  前記先導ニップの速度の後続ニップの速度に対する比は、少なくとも１．１である、態様１に記載の方法。
３．  前記先導ニップの速度の後続ニップの速度に対する比は、少なくとも１．２である、態様１に記載の方法。
４．  前記先導ニップの速度の後続ニップの速度に対する比は、１０未満である、態様１に記載の方法。
５．  前記先導ニップの速度の後続ニップの速度に対する比は、５未満である、態様３に記載の方法。
６．  前記先導ニップと前記後続ニップは、前記ダウンウェブ方向に少なくとも０．１ｃｍ離れている、態様３に記載の方法。
７．  前記先導ニップと前記後続ニップは、前記クロスウェブ方向に少なくとも０．５ｃｍ離れている、態様６に記載の方法。
８．  少なくとも前記先導ニップと前記後続ニップは前記ダウンウェブ方向に０．１〜２０ｃｍ離れ、かつ前記クロスウェブ方向に少なくとも１ｃｍ離れている、態様６に記載の方法。
９．  前記先導ニップと前記後続ニップは、前記クロスウェブ方向に少なくとも２ｃｍ離れている、態様６に記載の方法。
１０．  前記先導ニップから前記後続ニップまでのダウンウェブクロスウェブ方向の距離は、０．５〜１０ｃｍである、態様８に記載の方法。
１１．  前記先導ニップの速度は、前記延伸可能なウェブの前記第１の速度を上回る、態様２に記載の方法。
１２．  前記後続ニップの速度は、前記延伸可能なウェブの前記第１の速度以下である、態様１１に記載の方法。
１３．  前記ウェブは、前記配向領域において前記横断方向に少なくとも１０％延伸される、態様２に記載の方法。
１４．  前記ウェブは、前記配向領域において前記横断方向に少なくとも５０％延伸される、態様２に記載の方法。
１５．  前記ウェブの前記横断方向に２つ以上の配向領域が設けられる、態様２に記載の方法。
１６．  前記ダウンウェブ方向に２つ以上の配向領域が設けられる、態様２に記載の方法。
１７．  前記ダウンウェブ方向に設けられた２つ以上の配向領域は、少なくとも部分的に重複する、態様１６に記載の方法。
１８．  前記２つ以上の配向領域は同一平面に存在する、態様１５に記載の方法。
１９．  すべての前記配向領域と前記配向領域に出入りする前記延伸可能なウェブは、ほぼ同一平面に存在する、態様１８に記載の方法。
２０．  前記延伸可能なウェブは、弾性的延伸性を有するウェブと比較的非弾性的なウェブとで構成される積層体である、態様２に記載の方法。
２１．  少なくとも前記先導ニップは、前記ダウンウェブ方向の領域として広がる、態様１に記載の方法。
２２．  少なくとも前記先導ニップ領域は、前記ダウンウェブ方向に広がり、０〜１ｍの長さを有する配向領域を作成する、態様２１に記載の方法。
２３．  少なくとも前記先導ニップ領域は、前記ダウンウェブ方向に広がり、０．１〜０．５ｍの長さを有する配向領域を作成する、態様２１に記載の方法。
２４．  延伸可能なウェブを横断方向に配向させるための装置であって、第１の速度でダウンウェブ方向に移動する延伸可能なウェブのウェブ経路を提供するための供給手段であって、そこでは前記延伸可能なウェブは、幅と第１の方向に実質的に連続した長さを有する、および前記ウェブ経路の横断方向にオフセットした少なくとも２つのニップであって、そこでは少なくとも１つの先導ニップは後続ニップよりも速い速度で移動し、クロスウェブ配向の程度は前記先導ニップの速度の前記後続ニップの速度に対する比に比例し、クロスウェブ配向領域を形成する、を含む、装置。
２５．  前記先導ニップの速度の後続ニップの速度に対する比は、少なくとも１．１である、態様２４に記載の装置。
２６．  前記先導ニップの速度の後続ニップの速度に対する比は、少なくとも１．２である、態様２４に記載の装置。
２７．  前記先導ニップの速度の後続ニップの速度に対する比は、１０未満である、態様２４に記載の装置。
２８．  前記先導ニップの速度の後続ニップの速度に対する比は、５未満である、態様２６に記載の装置。
２９．  前記先導ニップと前記後続ニップは、前記ダウンウェブ方向に少なくとも０．１ｃｍ離れている、態様２６に記載の装置。
３０．  前記先導ニップと前記後続ニップは、前記クロスウェブ方向に少なくとも０．５ｃｍ離れている、態様２９に記載の装置。
３１．  少なくとも前記先導ニップと前記後続ニップは前記ダウンウェブ方向に０．１〜２０ｃｍ離れ、かつ前記クロスウェブ方向に少なくとも１ｃｍ離れている、態様２９に記載の装置。
３２．  前記先導ニップと前記後続ニップは、前記クロスウェブ方向に少なくとも２ｃｍ離れている、態様２９に記載の装置。
３３．  前記先導ニップから前記後続ニップまでのダウンウェブクロスウェブ方向の距離は、０．５〜１０ｃｍである、態様３１に記載の装置。
３４．  前記先導ニップの速度は、前記延伸可能なウェブの前記第１の速度を上回る、態様２５に記載の装置。
３５．  前記後続ニップの速度は、前記延伸可能なウェブの前記第１の速度以下である、態様３４に記載の装置。
３６．  前記ウェブの前記横断方向に２つ以上の配向領域が設けられる、態様２５に記載の方法。
３７．  前記ダウンウェブ方向に２つ以上の配向領域が設けられる、態様２５に記載の方法。
３８．  前記ダウンウェブ方向に設けられた２つ以上の配向領域は、少なくとも部分的に重複する、態様３７に記載の方法。
３９．  少なくとも前記先導ニップは、前記ダウンウェブ方向の領域として広がる、態様２４に記載の方法。
４０．  少なくとも前記先導ニップ領域は、前記ダウンウェブ方向に広がり、０〜１ｍの長さを有する配向領域を作成する、態様３９に記載の方法。
４１．  少なくとも前記先導ニップ領域は、前記ダウンウェブ方向に広がり、０．１〜０．５ｍの長さを有する配向領域を作成する、態様３９に記載の方法。
４２．  長さ方向と横断方向を有して領域が配向された実質的に連続するウェブであって、前記ウェブは、少なくとも１つの配向領域および横断方向に並んで隣接する領域を有し、前記少なくとも１つの配向領域は、分子配向方向が横断方向に対して少なくとも５度の角度をなす非弾性的ウェブ材料を含み、前記隣接する領域は分子配向の異なる角度および／または方向を有する、ウェブ。
４３．  前記非弾性的ウェブ材料の分子配向方向は、前記横断方向に対して１０〜７０度である、態様４２に記載の領域が配向された実質的に連続するウェブ。
４４．  前記非弾性的ウェブ材料の分子配向方向は、前記横断方向に対して２０〜６０度である、態様４２に記載の領域が配向された実質的に連続するウェブ。
４５．  前記非弾性的ウェブ材料の分子配向方向は、前記横断方向に対して５〜８０度である、態様４２に記載の領域が配向された実質的に連続するウェブ。
４６．  前記ウェブは、弾性的延伸性ウェブ層と比較的非弾性的なウェブ層との積層体を含む弾性的延伸性ウェブである、態様４３に記載の領域が配向された実質的に連続するウェブ。
４７．  前記ウェブは、前記横断方向に対して所定の角度をなす分子配向方向を有する非弾性的ウェブ材料をそれぞれ含む配向領域を少なくとも２つ有する、態様４６に記載の領域が配向された実質的に連続するウェブ。
４８．  前記ウェブは、前記横断方向に対して所定の角度をなす分子配向方向を有する非弾性的ウェブ材料をそれぞれ含む配向領域を少なくとも２つ有し、かつそれぞれが異なる分子配向方向を有する、態様４７に記載の領域が配向された実質的に連続するウェブ。
４９．  前記ウェブは、前記横断方向に対して所定の角度をなす分子配向方向を有する非弾性的ウェブ材料をそれぞれ含む配向領域を少なくとも２つ有し、かつそれぞれが、横断方向の反対側で広がる分子配向方向を有する、態様４７に記載の領域が配向された実質的に連続するウェブ。
５０．  前記少なくとも１つの配向領域は、クロスウェブ方向に少なくとも０．５ｃｍ広がる、態様４７に記載の領域が配向された実質的に連続するウェブ。
５１．  前記少なくとも１つの配向領域は、クロスウェブ方向に少なくとも１ｃｍ広がる、態様４７に記載の領域が配向された実質的に連続するウェブ。
５２．  前記少なくとも１つの配向領域は、クロスウェブ方向に０．５〜２０ｃｍ広がる、態様４７に記載の領域が配向された実質的に連続するウェブ。
５３．  前記少なくとも１つの配向領域は、クロスウェブ方向に０．５〜１０ｃｍ広がる、態様４７に記載の領域が配向された実質的に連続するウェブ。
５４．  前記ウェブは少なくとも５つの配向領域を有する、態様４７に記載の領域が配向された実質的に連続するウェブ。
５５．  前記ウェブは少なくとも１つの非配向領域を有する、態様４７に記載の領域が配向された実質的に連続するウェブ。
５６．  前記ウェブは、２つの配向領域と隣接する非配向領域を少なくとも１つ有する、態様５５に記載の領域が配向された実質的に連続するウェブ。
上記の特定の実施形態は、本発明の実施を例示するものである。本発明は、本文書において具体的に述べられていない任意の要素または品目の無い状態においても適して実施することができる。全ての特許、特許出願、および刊行物の全部の開示は、個々に全体として組み込まれたかのように、参照によって本明細書中に組み込まれる。